(57)【要約】【課題】小型・軽量化する。製造コストの上昇を抑える。【解決手段】クランパ２とターンテーブル３を磁気結合させてこれらの間にディスク４を挟み込むと共に、クランパ２とターンテーブル３のうち、いずれか一方の部材をいずれか他方の部材から引き離すことで磁気結合を解除してディスク４を取り外すディスク演奏装置のクランプ構造１であって、ターンテーブル３（一方の部材）をクランパ２（他方の部材）から引き離す際、ディスク４を支えてディスク４及びクランパ２がターンテーブル３に追従して移動するのを阻止するディスクストッパ５を備えるものである。【選択図】図７
2010192058.tif 000002
【特許請求の範囲】
【請求項１】
クランパとターンテーブルを磁気結合させてこれらの間にディスクを挟み込むと共に、前記クランパと前記ターンテーブルのうち、いずれか一方の部材をいずれか他方の部材から引き離すことで前記磁気結合を解除して前記ディスクを取り外すディスク演奏装置のクランプ構造において、前記一方の部材を前記他方の部材から引き離す際、前記ディスクを支えて前記ディスク及び前記他方の部材が前記一方の部材に追従して移動するのを阻止するディスクストッパを備えることを特徴とするディスク演奏装置のクランプ構造。
【請求項２】
前記ディスクストッパは、前記ディスクの記録領域以外の領域に対向して配置され、シャーシによって支持されることを特徴とする請求項１記載のディスク演奏装置のクランプ構造。
【請求項３】
前記ディスクストッパは、シャーシの前記ディスクの記録領域以外の領域に対向する部分であることを特徴とする請求項１記載のディスク演奏装置のクランプ構造。
【請求項４】
前記ディスクストッパは搬送ローラであることを特徴とする請求項１記載のディスク演奏装置のクランプ構造。
【発明の詳細な説明】
【技術分野】
【０００１】
本発明は、ディスク演奏装置のクランプ構造に関する。更に詳しくは、本発明はクランパとターンテーブルとを磁気結合させることでディスクを挟持するディスク演奏装置のクランプ構造に関するものである。
【背景技術】
【０００２】
クランパとターンテーブルとを磁気結合させることでディスクを挟持して回転させて演奏を行なうディスク演奏装置として、例えば特開２００５−１４９５６１号公報に開示されたものがある。このディスク演奏装置では、図２８及び図２９に示すように、筐体１０１の両側壁部１０１ａ間に架け渡されたクランパプレート１０２によってクランパ１０３を回転自在に支持している。クランパ１０３には磁石１０４が設けられており、ターンテーブル１０５を上昇させてクランパ１０３に近づけると、両者は磁気結合される。このとき、ターンテーブル１０５はトレー１０６の下から上昇し、ディスク１０７をトレー１０６から持ち上げる。これにより、クランパ１０３とターンテーブル１０５はディスク１０７を間に挟み込んだ状態で磁気結合され、この状態でターンテーブル１０５が回転してディスク１０７の演奏が行なわれる。
【０００３】
ディスク１０７の演奏が終了し、ターンテーブル１０５の回転が停止すると、ターンテーブル１０５が下降してディスク１０７をトレー１０６上に戻す。このとき、ターンテーブル１０５に磁気結合されていたクランパ１０３もターンテーブル１０５と一緒に下降しようとするが、クランパ１０３はクランパプレート１０２によって支持されているのでターンテーブル１０５と一緒に下降することはできず、クランパ１０３はターンテーブル１０５から引き剥がされ、クランパ１０３を残してディスク１０７とターンテーブル１０５が下降する。クランパプレート１０２は鋼板製の剛性の大きな強度部材であり、前後の上向き側縁補強部１０８，１０８、下向き環状補強部１０９、左右の上向き突条補強部１１０，１１０が形成されており、クランパ１０３をターンテーブル１０５から引き剥がす際に必要とされる強度が確保されている。
【先行技術文献】
【特許文献】
【０００４】
【特許文献１】特開２００５−１４９５６１号公報
【発明の概要】
【発明が解決しようとする課題】
【０００５】
しかしながら、上記ディスク演奏装置では、クランパプレート１０２によってクランパ１０３を支持するため、装置の小型化が困難になると共に、部品点数の増加により製造コストが上昇する。また、クランパプレート１０２を筐体１０１の両側壁部１０１ａ，１０１ａ間に架け渡たし、その中央部でクランパ１０３を支持するため、クランパプレート１０２の強度を十分に確保する必要がある。そのため、高価な材料の選択や成形工程の追加等によってクランパプレート１０２自体の製造コストも上昇する。
【０００６】
本発明は、小型化することができると共に、製造コストを下げることができるディスク演奏装置のクランプ構造を提供することを目的とする。
【課題を解決するための手段】
【０００７】
かかる目的を達成するために請求項１記載の発明は、クランパとターンテーブルを磁気結合させてこれらの間にディスクを挟み込むと共に、クランパとターンテーブルのうち、いずれか一方の部材をいずれか他方の部材から引き離すことで磁気結合を解除してディスクを取り外すディスク演奏装置のクランプ構造において、一方の部材を他方の部材から引き離す際、ディスクを支えてディスク及び他方の部材が一方の部材に追従して移動するのを阻止するディスクストッパを備えるものである。
【０００８】
したがって、一方の部材と他方の部材とが磁気結合してディスクをクランプしている状態で一方の部材を移動させると、他方の部材及びディスクも一緒に移動する。そして、ディスクがディスクストッパに当った後はディスク及び他方の部材は一方の部材と一緒に移動することができないので、一方の部材がディスク及び他方の部材から引き離されてディスクのクランプが解除される。
【０００９】
また、請求項２記載のディスク演奏装置のクランプ構造は、ディスクストッパが、ディスクの記録領域以外の領域に対向して配置され、シャーシによって支持されるものである。したがって、磁気結合の解除時にディスクストッパが受けるディスクからの反力は、もともと強度が高いシャーシによって受け止められる。ディスクストッパはディスクの記録領域以外の領域に当るので、ディスクの記録領域を傷付けることがない。
【００１０】
また、請求項３記載のディスク演奏装置のクランプ構造は、ディスクストッパがシャーシのディスクの記録領域以外の領域に対向する部分である。したがって、磁気結合解除時のディスクからの反力は、もともと強度が高いシャーシによって受け止められる。ディスクストッパはディスクの記録領域以外の領域に当るので、ディスクの記録領域を傷付けることがない。
【００１１】
さらに、請求項４記載のディスク演奏装置のクランプ構造は、ディスクストッパが搬送ローラである。したがって、磁気結合解除時の反力は、もともと強度が高い搬送ローラによって受け止められる。搬送ローラはディスクに接触してこれを搬送するものであり、ディスクの記録領域を傷付けることはない。
【発明の効果】
【００１２】
請求項１記載のディスク演奏装置のクランプ構造では、磁気結合解除時のディスクからの反力をディスクストッパによって受け止めることができるので、ディスクからの反力を他方の部材の支持機構によって受け止める必要がなくなり、他方の部材の支持機構に要求される強度を減少させることができる。そのため、製造コストを低減することができると共に、装置を小型化することができる。
【００１３】
また、請求項２記載のディスク演奏装置のクランプ構造では、ディスクストッパがシャーシによって支持されているので、もともと強度が高いシャーシによって磁気結合時のディスクからの反力を受け止めることができる。そのため、ディスクストッパの支持に新たな部材を追加する必要がなくなり、製造コストの増加と装置の重量化・大型化を抑制することができる。また、ディスクストッパがディスクの記録領域に当ることがないので、ディスクストッパによってディスクの記録領域が傷付けられるのを防止することができる。
【００１４】
また、請求項３記載のディスク演奏装置のクランプ構造では、ディスクストッパがシャーシの一部分を利用して形成されているので、もともと強度が高いシャーシによって磁気結合解除時のディスクからの反力を直接受け止めることができる。そのため、ディスクストッパの支持に新たな部材を追加する必要がなくなり、製造コストの増加と装置の重量化・大型化を抑えることができる。また、ディスクストッパがディスクの記録領域に当ることがないので、ディスクストッパによってディスクの記録領域が傷付けられるのを防止することができる。
【００１５】
さらに、請求項４記載のディスク演奏装置のクランプ構造では、ディスクストッパが搬送ローラを利用して形成されているので、もともと強度が高い搬送ローラによって磁気結合解除時のディスクからの反力を直接受け止めることができる。そのため、ディスクストッパの支持に新たな部材を追加する必要がなくなり、製造コストの増加と装置の重量化・大型化を抑制することができる。また、ディスクストッパが搬送ローラによるものであるので、ディスクストッパによってディスクの記録領域が傷付けられるのを防止することができる。
【図面の簡単な説明】
【００１６】
【図１】本発明のディスク演奏装置のクランプ構造の第１の実施形態を示し、トレーが演奏位置に移動する前の待機状態を示す側面図である。
【図２】図１に続く状態を示し、トレーが演奏位置に向けて移動する様子を示す側面図である。
【図３】図２に続く状態を示す側面図である。
【図４】図３に続く状態を示し、トレーが演奏位置に到達した様子を示す側面図である。
【図５】図４に続く状態を示し、ディスクを演奏する様子を示す側面図である。
【図６】図５に続く状態を示し、ターンテーブルの下降によってディスクがディスクストッパに度当たりした様子を示す側面図である。
【図７】図６に続く状態を示し、ターンテーブルとクランパ２との間の磁気結合が解除された様子を示す側面図である。
【図８】図７に続く状態を示し、演奏が終了したディスクがトレー上に降ろされた様子を示す側面図である。
【図９】図８に続く状態を示し、演奏が終了したディスクが排出される様子を示す側面図である。
【図１０】昇降機構を示し、（Ａ）は初期位置における断面図、（Ｂ）はディスクストッパを上昇させている様子を示す断面図、（Ｃ）はディスクストッパを上昇させた様子を示す断面図である。
【図１１】ディスクストッパがトレーによって移動させる様子を示し、（Ａ）はトレーがディスクストッパを移動させる前の状態を示す平面図、（Ｂ）はトレーがディスクストッパを移動させている様子を示す平面図である。
【図１２】ディスクストッパとトレーとシャーシを示す斜視図である。
【図１３】ディスクの記録領域と記録領域以外の領域を説明するためのディスクの断面図である。
【図１４】ターンテーブルとクランパとでディスクをクランプしている様子を示す断面図である。
【図１５】本発明のディスク演奏装置のクランプ構造の第２の実施形態を示し、ディスクをディスク演奏空間に搬送する様子を示す断面図である。
【図１６】図１５に続く状態を示し、ディスクを演奏する様子を示す断面図である。
【００１７】
【図１７】図１６に続く状態を示し、ターンテーブルの下降によってディスクがディスクストッパに度当たりした様子を示す断面図である。
【図１８】図１５のディスク演奏装置のクランプ構造の作動を説明するために比較する断面図である。
【図１９】本発明のディスク演奏装置のクランプ構造の第３の実施形態を示し、ターンテーブルの下降によってディスクがディスクストッパに度当たりし、磁気結合が解除された様子を示す断面図である。
【図２０】本発明のディスク演奏装置のクランプ構造の第４の実施形態を示し、ターンテーブルの下降によってディスクがディスクストッパに度当たりした様子を示す断面図である。
【図２１】ディスク演奏装置のクランパの支持構造を示し、（Ａ）はクランプする前の状態における断面図、（Ｂ）はクランプ時の断面図である。
【図２２】（Ａ）はフレームの孔を示す平面図、（Ｂ）はクランパホルダを示す平面図、（Ｃ）はクランパホルダを孔に取り付け場合の位置関係を示す平面図である。
【図２３】ガイド機構を示し、（Ａ）はディスク搬送時の位置関係を示す図、（Ｂ）はディスククランプ時の位置関係を示す図、（Ｃ）はディスクプレイ時の位置関係を示す図である。
【図２４】クランパの傾斜を抑えた場合の効果を説明するための図で、（Ａ）はターンテーブルとクランパとでディスクをクランプする様子を示す概略構成図、（Ｂ）はターンテーブルとクランパとの間隔を示す概略構成図、（Ｃ）は計算のための代表ポイントを示す概略構成図である。
【図２５】クランパが傾斜している場合の比較例を示し、（Ａ）はターンテーブルとクランパとでディスクをクランプする様子を示す概略構成図、（Ｂ）はターンテーブルとクランパとの間隔を示す概略構成図、（Ｃ）は計算のための代表ポイントを示す概略構成図である。
【図２６】ディスク演奏装置のディスクの位置決め機構を示し、（Ａ）はディスクの位置決めを行なう様子を示す概略構成図、（Ｂ）はディスク演奏時の概略構成図である。
【図２７】同位置決め機構を示し、（Ａ）は図２６（Ａ）に対応する支持部材の平面図、（Ｂ）は図２６（Ｂ）に対応する支持部材の平面図である。
【図２８】従来のディスク演奏装置のクランプ構造を示す斜視図である。
【図２９】同クランプ構造の断面図である。
【図３０】従来のクランプの支持構造を採用したディスク演奏装置を示す斜視図である。
【図３１】同クランプの支持構造の斜視図である。
【図３２】従来のディスクの位置決め機構を示す斜視図である。
【発明を実施するための形態】
【００１８】
以下、本発明の構成を図面に示す最良の形態に基づいて詳細に説明する。
【００１９】
図１〜図１２に本発明のディスク演奏装置のクランプ構造の第１の実施形態を示す。ディスク演奏装置のクランプ構造（以下、単にクランプ構造という）１は、クランパ２とターンテーブル３を磁気結合させてこれらの間にディスク４を挟み込むと共に、クランパ２とターンテーブル３のうち、いずれか一方の部材をいずれか他方の部材から引き離すことで磁気結合を解除してディスク４を取り外すものであって、一方の部材を他方の部材から引き離す際、ディスク４を支えてディスク４及び他方の部材が一方の部材に追従して移動するのを阻止するディスクストッパ５を備えている。
【００２０】
本実施形態では、ターンテーブル３（一方の部材）を移動可能とし、クランパ２（他方の部材）から引き離すようにしている。ただし、必ずしもこの構成に限るものではなく、クランパ２（一方の部材）を移動可能とし、ターンテーブル３（他方の部材）から引き離すようにしても良い。また、本実施形態では、横型のディスク演奏装置、即ちディスク４を水平状態（倒した状態）で取り扱うディスク演奏装置に適用している。ただし、必ずしも横型のディスク演奏装置に限るものではなく、例えば縦型のディスク演奏装置、即ちディスク４を垂直状態（立てた状態）で取り扱うディスク演奏装置に適用しても良い。なお、横型のディスク演奏装置における昇降移動は、縦型のディスク演奏装置では水平移動となる。さらに、本実施形態では、ディスク４をトレー６に載せて搬送するタイプのディスク演奏装置に適用している。ただし、必ずしもこれに限るものではなく、例えばトレー６を使用せずに、搬送ローラ７を直接ディスク４に接触させて搬送するタイプのディスク演奏装置等に適用しても良い。
【００２１】
本実施形態のディスクストッパ５は、シャーシ８とは別部材であり、シャーシ８によって支持される。ただし、必ずしもディスクストッパ５をシャーシ８と別部材にする必要はなく、ディスクストッパ５をシャーシ８に一体成形しても良い。また、シャーシ８の一部や搬送ローラ７をディスクストッパ５としても良い。本実施形態のディスクストッパ５はシャーシ８上で前後方向（ディスク４の搬送方向）にスライド可能になっている。
【００２２】
ディスクストッパ５とシャーシ８との間には、ディスクストッパ５のスライドによってこれを昇降させる昇降機構９が設けられている。昇降機構９を拡大して図１０に示す。本実施形態の昇降機構９は、シャーシ８の上面に設けられたシャーシ側傾斜面１０と、ディスクストッパ５の底面に設けられたストッパ側傾斜面１１より構成されている。シャーシ側傾斜面１０とストッパ側傾斜面１１とは対向しており、ディスクストッパ５のスライドによってストッパ側傾斜面１１がシャーシ側傾斜面１０上を滑りながら昇降する。
【００２３】
本実施形態では、シャーシ側傾斜面１０とストッパ側傾斜面１１をそれぞれ前後に設けている。前側（ディスク４の搬送方向手前側、図１中左側）のストッパ側傾斜面１１はディスクストッパ５自体を部分的に傾斜させることで、後側（ディスク４の搬送方向奥側、図１中右側）のストッパ側傾斜面１１はディスクストッパ５の底面に左右一対の凸部を設けることで、それぞれ形成されている（図１１）。また、前側及び後側のシャーシ側傾斜面１０はシャーシ８に左右一対の凸部を設けることでそれぞれ形成されている。本実施形態では、シャーシ８にはターンテーブル３を通過させると共に図示しない光ピックアップをディスク４に対向させるための孔８ａが設けられており、後側のシャーシ側傾斜面１０は孔８ａを挟んで左右両側に設けられている。ただし、シャーシ側傾斜面１０とストッパ側傾斜面１１の構成はこれらに限るものではない。シャーシ８には、ディスクストッパ５をガイドしてシャーシ８からの外れを防止するガイド部１２が設けられている。
【００２４】
本実施形態のディスクストッパ５の上面には、ディスク４の下面の記録領域３６以外の領域３５（図１３）を支えることが可能な受け部５ｄが設けられている。本実施形態の受け部５ｄはディスク４の記録領域３６の内側の領域３５（図１３中左側）を支えることが可能となっている。ただし、受け部５ｄによって支える記録領域３６以外の領域３５は記録領域３６の内側の領域３５に限るものではなく、記録領域３６の外側の領域３５（図１３中右側）であっても良い。受け部５ｄの上面はトレー６よりも高い位置に突出している。また、ディスクストッパ５とシャーシ８との間にはリターンスプリング１３が設けられている。リターンスプリング１３はディスクストッパ５を図１０（Ａ）に示す初期位置１８に向けて常時付勢している。
【００２５】
なお、本実施形態の受け部５ｄは、ターンテーブル３とクランパ２との磁気結合を解除する際、クランパ２にも対向している（受け部５ｄがクランパ２に対して径方向にオーバーラップしている）。したがって、例えばディスク４が無い状態でターンテーブル３とクランパ２とが直接磁気結合した場合、これらの磁気結合を解除するときには、ディスクストッパ５の受け部５ｄによってクランパ２を直接支えることができる。ただし、必ずしも、受け部５ｄをクランパ２に対して径方向にオーバーラップさせる必要はなく、例えばディスク４が無い状態でターンテーブル３とクランパ２とが直接磁気結合することがない場合等には、受け部５ｄをクランパ２に対して径方向にオーバーラップさせなくても良い。
【００２６】
クランパ２はディスク４の上に配置されて、クランパホルダ１７によって回転自在且つ上下動可能に支持されている。クランパホルダ１７は例えば樹脂製の環状の板状部材であり、フレーム１９に設けられた孔１９ａ内に昇降可能に取り付けられている。クランパホルダ１７は図示しない操作手段によってフレーム１９に対して昇降移動可能になっている。クランパホルダ１７を昇降させる機構としては、例えば後述するクランパ２の支持構造２４の使用が可能である。
【００２７】
ターンテーブル３はシャーシ８の下に配置され、光ピックアップと共にサブシャーシに取り付けられている。図示しない昇降駆動手段によってサブシャーシが上昇されると、ターンテーブル３はシャーシ８の孔８ａ、トレー６の切り欠き６ａを通ってトレー６よりも上に突出し、ディスク４を持ち上げてクランパ２に磁気結合可能になっている。また、ターンテーブル３がクランパ２に磁気結合した状態では、光ピックアップはシャーシ８の孔８ａ及びトレー６の切り欠き６ａを通じてディスク４の記録領域３６に対向して配置される。
【００２８】
ディスク４は、トレー６に設けられた円形凹部６ｃに載置される。円形凹部６ｃの外周縁には、ディスク４の外周縁を支える凸部６ｄが設けられている。したがって、ディスク４を円形凹部６ｃの底に対して浮いた状態で載せることができる。
【００２９】
次に、クランプ構造１の作動について説明する。
【００３０】
トレー６が演奏位置１５に移動していない待機状態では、ディスクストッパ５はリターンスプリング１３によって孔８ａから離れた位置に移動されている（図１）。この状態では、昇降機構９はディスクストッパ５を上昇させていない。
【００３１】
ディスク４をプレイする場合には、ディスク４をトレー６に載せて演奏位置１５に移動させる。ディスクストッパ５の受け部５ｄはトレー６の底板よりも高い位置に突出しているが、トレー６には切り欠き６ａが設けられているので、ディスク４を載せたトレー６が演奏位置１５に向けて移動し始めても暫くの間はトレー６は受け部５ｄに当らずに移動する。なお、この状態では、ディスクストッパ５の受け部５ｄはディスク４よりも低く、ディスク４の下を通過する。
【００３２】
更にトレー６が移動すると、トレー６の切り欠き６ａの縁が受け部５ｄに当る（図２，図１１（Ｂ））。そのため、以降、トレー６はディスクストッパ５をリターンスプリング１３のばね力に抗してスライドさせながら移動する。スライドされたディスクストッパ５は昇降機構９によって上昇される（図３）。そして、更にトレー６が移動すると、ディスクストッパ５の受け部５ｄが更に上昇してディスク４の記録領域３６よりも内側の領域３５に当たり、ディスク４をトレー６から持ち上げる。
【００３３】
その後すぐにトレー６は演奏位置１５に到達し、停止する（図４）。これに伴いディスクストッパ５も停止する。この位置では昇降機構９はディスクストッパ５を最も高い位置まで上昇させている。
【００３４】
その後、ターンテーブル３がシャーシ８の下から上昇し、ディスク４を持ち上げながらクランパ２に磁気結合する（図５）。
【００３５】
その後、ターンテーブル３がシャーシ８の下から上昇する。同時に、クランパホルダ１７の下降によってクランパ２も若干下降する。ターンテーブル３はディスク４を持ち上げながら上昇し、クランパ２に磁気結合する。これによりディスク４がトレー６及び受け部５ｄから浮いた状態でターンテーブル３とクランパ２とによってクランプされる。この状態では、クランパ２もクランパホルダ１７から若干浮いている。また、ターンテーブル３と一緒に光ピックアップも上昇し、ディスク４に対向する。この状態でディスク４がプレイされる。
【００３６】
プレイ終了後にディスク４を排出する場合には、ターンテーブル３及び光ピックアップを下降（退避）させる。ターンテーブル３はクランパ２に磁気結合しているので、下降開始直後はターンテーブル３と一緒にディスク４及びクランパ２も下降する。しかしながら、すぐにディスク４がディスクストッパ５の受け部５ｄに当るので、それ以降は下降できなくなる（図６）。即ち、ディスクストッパ５の受け部５ｄがディスク４を支えてディスク４及びクランパ２がターンテーブル３に追従して移動するのを阻止し、ターンテーブル３とクランパ２との磁気結合を解除する（図７）。ディスクストッパ５は十分な強度を有するシャーシ８によって支持されているので、ターンテーブル３とクランパ２の磁気結合が強力なものであってもディスク４からの反力をしっかりと受け止めて磁気結合を解除することができる。即ち、クランパホルダ１７やフレーム１９等の部品の強度をそれ程大きくしなくても、ターンテーブル３とクランパ２との磁気結合を解除する機構の強度を高くすることができる。そのため、クランパホルダ１７やフレーム１９を薄肉軽量化、小型軽量化することができて製造コストを安くすることができると共に、装置の小型化を図ることができる。また、ターンテーブル３とクランパ２との磁気結合力をより強くすることが可能になるので、ディスク４の回転速度の高速化に対応し易くなる。
【００３７】
ターンテーブル３とクランパ２との磁気結合が解除されると、クランパホルダ１７が上昇し、クランパ２を上昇させる。
【００３８】
その後、ターンテーブル３及び光ピックアップが退避すると、トレー６が排出方向に移動を開始する。この状態では、ディスク４は受け部５ｄによってトレー６から若干持ち上げられているが、トレー６の円形凹部６ｃの周壁６ｂがディスク４の外周面を押すことでディスク４もトレー６と一緒に移動する。また、トレー６の移動に伴い、ディスクストッパ５がリターンスプリング１３に引っぱられてスライドする。スライドされたディスクストッパ５は昇降機構９によって下降されるので、受け部５ｄによって持ち上げられていたディスク４がトレー６上に降ろされる（図８）。
【００３９】
その後暫くはトレー６とディスクストッパ５とが一緒に移動するが、ディスクストッパ５が初期位置１８に戻ると、後側のストッパ側傾斜面１１が設けられている凸部が前側のシャーシ側傾斜面１０が設けられている凸部に当たり、初期位置１８で停止する。その後、トレー６は更に移動し（図９）、図示しない排出位置まで移動して停止する。
【００４０】
このクランプ構造１では、磁気結合解除時のディスク４からの反力をディスクストッパ５によって受け止めることができるので、ディスク４からの反力をクランプホルダ１７によって受け止める必要がなくなり、クランプホルダ１７や、これを支持するフレーム１９、クランプホルダ１７を昇降させる機構等に要求される強度を低くすることができる。そのため、クランプ構造１の製造コストを低減することができると共に、装置を小型化・軽量化することができる。
【００４１】
また、図２８及び図２９に示すディスク演奏装置では、クランパプレート１０２の剛性が不足している場合には、引離し時、クランパ１０３とターンテーブル１０５の磁気結合力に抗して、クランパ１０３を支持していたクランパプレート１０２に撓みが生じる。この状態で、クランパ１０３がターンテーブル１０５から引離されると、クランパプレート１０２の撓みが解消される。このときのクランパプレート１０２の撓みが戻る動きでクランパ１０３がバウンドし、振動と騒音を発生させることになる。これに対し、本願発明では、ディスクストッパ５を有していることでフレーム１９の撓み量が少なくなり、撓みの戻る動きによるクランパ２の受ける移動量と移動力は小さいので、クランパ２のバウンドは小さくなり、磁気結合解除時の反動によるターンテーブル３、クランパ２、ディスク４等のバウンドや音の発生を防止することができる。
【００４２】
また、ディスクストッパ５の受け部５ｄはディスク４の下面の記録領域３６以外の領域３５を支えるので、ディスク４の記憶領域を傷付けるのを防止することができる。
【００４３】
次に、本発明のディスク演奏装置のクランプ構造１の第２の実施形態について説明する。なお、第１の実施形態のクランプ構造１と同一の部材には同一の符号を付し、それらの詳しい説明は省略する（他の実施形態でも同様）。第１の実施形態では、ディスク４をトレー６に載せて搬送するタイプのディスク演奏装置に適用していたが、本実施形態では、トレー６を使用せずに、ディスク４を搬送ローラ７によって直接搬送するタイプのディスク演奏装置に適用している。
【００４４】
図１５〜図１７に本実施形態のクランプ構造１が適用されるディスク演奏装置を示す。筐体を構成するシャーシ８とフレーム１９の間はディスク演奏空間２０になっている。シャーシ８にはターンテーブル３を通過させる孔８ａが形成されており、この孔８ａの周縁をフレーム１９側に突出させることでディスクストッパ５が形成されている。このディスクストッパ５は、第１の実施形態の受け部５ｄと同様に、ターンテーブル３とクランパ２との磁気結合を解除する際、ディスク４の記録領域の内側の領域を支えることが可能であると共に、クランパ２に対して径方向にオーバーラップしており、ディスク４が無い状態でターンテーブル３とクランパ２とが直接磁気結合した場合であってもこれらの磁気結合を解除するときにはクランパ２を直接支えることが可能になっている。ただし、必ずしも、ディスクストッパ５をクランパ２に対して径方向にオーバーラップさせる必要はなく、例えばディスク４が無い状態でターンテーブル３とクランパ２とが直接磁気結合することがない場合等には、ディスクストッパ５をクランパ２に対して径方向にオーバーラップさせなくても良い点は、第１の実施形態の受け部５ｄと同様である。
【００４５】
また、ディスク４をディスク演奏空間２０に搬送する搬送ローラ７は、シャーシ８に揺動可能に取り付けられた揺動アーム２１によって回転自在に支持されている。搬送ローラ７はスプリング２２によってフレーム１９に形成されたディスクガイド部１９ｂに向けて常時付勢されている。図１５において右側に形成される図示しないディスク挿入口にディスク４が挿入されると、搬送ローラ７が回転し始め、ディスクガイド部１９ｂとの間にディスク４を挟み込みながらディスク演奏空間２０に向けて搬送する。
【００４６】
ディスク４がディスク演奏空間２０に搬送されると、搬送ローラ７が停止する。この状態では、ディスク４は搬送ローラ７とディスクガイド部１９ｂとによって挟持されている。そして、ターンテーブル３が上昇してシャーシ８に設けられた孔８ａを通過すると共に、クランパホルダ１７が下降する。これにより、ターンテーブル３とクランパ２がディスク４を挟持する。クランパ２内には磁石が組み込まれており、ターンテーブル３とクランパ２とは磁気結合される。その後、揺動アーム２１が揺動して搬送ローラ７を退避させると共にディスク４がディスクガイド部１９ｂから離れると、ターンテーブル３が回転して演奏が行なわれる（図１６）。
【００４７】
演奏が終了し、ディスク４を排出する場合には、搬送ローラ７を上昇させてディスクガイド部１９ｂとでディスク４を挟持する。そして、ターンテーブル３を下降させると共に、クランパ２を上昇させる。
【００４８】
ここで、クランパ２の磁気結合力が比較的弱い場合には、図１８に示すように、ターンテーブル３の下降とクランパ２の上昇とによって両者の磁気結合が解除されるので、ディスクストッパ５を利用しなくてもターンテーブル３とクランパ２の磁気結合を解除することができる。しかしながら、ターンテーブル３とクランパ２との磁気結合力が強い場合には、ターンテーブル３の下降とクランパ２の上昇とによっては両者の磁気結合は解除されないので、ターンテーブル３に引っ張られてクランパ２もクランパホルダ１７を支持するフレーム１９を撓ませながら下降する。このとき、ターンテーブル３とクランパ２によって挟持されているディスク４もターンテーブル３によって引っ張られるので、ディスク４はスプリング２２の付勢力に抗して搬送ローラ７を押し下げながら全体的に下降する。これにより、ディスク４はディスクストッパ５に当接し、以降、下降できなくなる（図１７）ので、ターンテーブル３が更に下降すると、ターンテーブル３とクランパ２の磁気結合が解除されてターンテーブル３のみが下降する。そして、ターンテーブル３による引っ張りが無くなったことで、クランパ２はフレーム１９の撓みが戻ることで上昇し、ディスク４は搬送ローラ７によって持ち上げられてディスクガイド部１９ｂとの間に挟持される（図１５）。その後、搬送ローラ７が回転し、ディスク挿入口に向けてディスク４を搬送する。
【００４９】
ディスクストッパ５は十分な強度を有するシャーシ８に形成されているので、ターンテーブル３とクランパ２の磁気結合が強力なものであっても磁気結合を解除するのに必要な大きな力（ディスク１からの反力）を受け止めて磁気結合を解除することができる。即ち、クランパ２を支持するフレーム１９等の部品の強度を低くしても、ターンテーブル３とクランパ２との磁気結合を解除する機構としての強度を高くすることができる。そのため、フレーム１９等を薄肉軽量化、小型軽量化することができて製造コストを安くすることができる。また、磁気結合力をより強くすることが可能になるので、ディスク４の回転速度の高速化に対応し易くなる。
【００５０】
次に、本発明のディスク演奏装置のクランプ構造１の第３の実施形態について説明する。本実施形態のクランプ構造１を図１９に示す。本実施形態では、シャーシ８のディスク先端部分４ａに対向する位置にディスクストッパ５（以下、第１のディスクストッパ５Ａという）を設けている。また、搬送ローラ７をディスクストッパ５（以下、第２のディスクストッパ５Ｂという）として利用している。ここで、ディスク４の先端部分４ａとは、図１９に示す状態において、ディスク４の外周縁（下面の記録領域３６以外の領域３５）のうち搬送ローラ７から最も離れた位置をいう。なお、本実施形態では、第１のディスクストッパ５Ａとして別個に特別な部材を設けているのではなく、シャーシ８のディスク先端部分４ａが当る部分をそのまま第１のディスクストッパ５Ａとしている。ただし、シャーシ８のディスク先端部分４ａが当る位置に例えば凸部を設ける等して第１のディスクストッパ５Ａを形成しても良い。また、第２の実施形態では、スプリング２２の付勢力をターンテーブル３に引っ張られてディスク４が下降すると当該ディスク４によって搬送ローラ７が押し下げられてしまう程度の比較的弱いものとしていたが、本実施形態では、スプリング２２の付勢力をターンテーブル３に引っ張られてディスク４が下降しても搬送ローラ７はディスクガイド部１９ｂとの間でディスク４を挟持した状態を維持できる程度に強いものとなっている。本実施形態のクランプ構造１は、比較的撓み難いディスク４を演奏するディスク演奏装置への適用に適している。
【００５１】
このディスク演奏装置では、演奏終了後、ディスク４を排出する場合には、先ず搬送ローラ７を上昇させて当該搬送ローラ７とディスクガイド部１９ｂとでディスク４を挟持した後、ターンテーブル３を下降させると共にクランパホルダ１７を上昇させる。しかしながら、第２の実施形態の場合と同様に、ターンテーブル３とクランパ２との磁気結合力が強いことから両者の磁気結合は解除されないので、ターンテーブル３に引っ張られることでクランパ２もフレーム１９を撓ませながら下降する。このとき、第２の実施形態の場合と異なりスプリング２２の付勢力が強く設定されているので、搬送ローラ７は殆ど押し下げられず、ディスク４はディスクガイド部１９ｂのターンテーブル３とは反対側の位置１９ｃを支点にして傾きながら下降する。これにより、ディスク先端部分４ａが第１のディスクストッパ５Ａに当接し、以降、下降できなくなる（図１９）ので、ターンテーブル３が更に下降すると、ターンテーブル３とクランパ２の磁気結合が解除されてターンテーブル３のみが下降する。即ち、第１のディスクストッパ５Ａと第２のディスクストッパ５Ｂとによってディスク４及びクランパ２がターンテーブル３に追従して移動するのが阻止され、ターンテーブル３とクランパ２の磁気結合が解除される。そして、ターンテーブル３による引っ張りが無くなったことで、クランパ２はフレーム１９の撓みが戻ることで上昇し、ディスク４は搬送ローラ７とディスクガイド部１９ｂとによって挟持される。その後、搬送ローラ７が回転し、ディスク挿入口に向けてディスク４を搬送する。
【００５２】
本実施形態においても、第２の実施形態と同様に、第１のディスクストッパ５Ａは十分な強度を有するシャーシ８に設けられているので、また、第２のディスクストッパ５Ｂはスプリング２２によって付勢されている搬送ローラ７であるので、ターンテーブル３とクランパ２の磁気結合が強力なものであっても磁気結合を解除するのに必要な大きな力を受け止めて磁気結合を解除することができる。即ち、クランパ２を支持するフレーム１９等の部品の強度を低くしても、ターンテーブル３とクランパ２との磁気結合を解除する機構としての強度を高くすることができる。そのため、フレーム１９等を薄肉軽量化、小型軽量化することができて製造コストを安くすることができる。また、磁気結合力をより強くすることが可能になるので、ディスク４の回転速度の高速化に対応し易くなる。
【００５３】
なお、第３の実施形態において、孔８ａの周縁をフレーム１９側に突出させることで形成したディスクストッパ５を併用するようにしても良い。
【００５４】
次に、本発明のディスク演奏装置のクランプ構造１の第４の実施形態について説明する。本実施形態のクランプ構造１を図２０に示す。本実施形態のクランプ構造１が第３の実施形態のクランプ構造１と相違するのは、第３の実施形態のクランプ構造１が有する第１のディスクストッパ５Ａ及び第２のディスクストッパ５Ｂの他に、第２の実施形態のクランプ構造１が有するディスクストッパ５、即ちシャーシ８の孔８ａの周縁を突出させたディスクストッパ５（以下、第３のディスクストッパ５Ｃという）を備えている点である。本実施形態のクランプ構造１は、比較的撓みやすいディスク４を演奏するディスク演奏装置への適用に適している。
【００５５】
このディスク演奏装置では、演奏終了後、ディスク４を排出する場合には、先ず搬送ローラ７を上昇させて当該搬送ローラ７とディスクガイド部１９ｂとでディスク４を挟持した後、ターンテーブル３を下降させると共にクランパホルダ１７を上昇させる。本実施形態でも、第２の実施形態の場合と同様に、ターンテーブル３とクランパ２との磁気結合力が強いことから両者の磁気結合は解除されないので、ターンテーブル３に引っ張られることでクランパ２もフレーム１９を撓ませながら下降する。このとき、第２の実施形態の場合と異なりスプリング２２の付勢力が強く設定されているので、搬送ローラ７即ち第２のディスクストッパ５Ｂは殆ど押し下げられず、ディスク４はディスクガイド部１９ｂのターンテーブル３とは反対側の位置１９ｃを支点にして傾きながら下降する。これにより、ディスク先端部分４ａが第１のディスクストッパ５Ａに当接するので、ターンテーブル３が更に下降すると、ディスク４が撓んでディスク４の中央付近が第３のディスクストッパ５Ｃに当接し、以降、下降できなくなる（図２０）。したがって、ターンテーブル３が更に下降すると、ターンテーブル３とクランパ２の磁気結合が解除されてターンテーブル３のみが下降する。そして、ターンテーブル３による引っ張りが無くなったことで、クランパ２はフレーム１９の撓みが戻ることで上昇し、ディスク４は搬送ローラ７とディスクガイド部１９ｂとによって挟持される。その後、搬送ローラ７が回転し、ディスク挿入口に向けてディスク４を搬送する。
【００５６】
本実施形態においても、第１のディスクストッパ５Ａ，第３のディスクストッパ５Ｃは十分な強度を有するシャーシ８に設けられているので、ターンテーブル３とクランパ２の磁気結合が強力なものであっても磁気結合を解除するのに必要な大きな力を受け止めて磁気結合を解除することができる。即ち、クランパ２を支持するフレーム１９等の部品の強度を低くしても、ターンテーブル３とクランパ２との磁気結合を解除する機構としての強度を高くすることができる。そのため、フレーム１９等を薄肉軽量化、小型軽量化することができて製造コストを安くすることができる。また、磁気結合力をより強くすることが可能になるので、ディスク４の回転速度の高速化に対応し易くなる。
【００５７】
なお、第４の実施形態において、第３の実施形態と同様に搬送ローラ７をディスクストッパ５として併用しても良い。
【００５８】
なお、上述の形態は本発明の好適な形態の一例ではあるがこれに限定されるものではなく本発明の要旨を逸脱しない範囲において種々変形実施可能である。
【００５９】
次に、クランパ２の支持構造２４について説明する。図２１〜図２３に、クランパ２の支持構造２４を示す。なお、図２２（Ａ）はフレーム１９の孔１９ａを、（Ｂ）はクランパホルダ１７を、（Ｃ）はクランパホルダ１７と孔１９ａとの位置関係を示している。このクランパ２の支持構造２４は、特に縦型（ディスク４を立てるタイプ）のディスク演奏装置への適用に特に適している。本実施形態では、縦型のディスク演奏装置に適用した場合について説明する。ただし、横型（例えば第１の実施形態のようにディスク４を倒して使用するタイプ）のディスク演奏装置等に適用しても良い。
【００６０】
クランパ２は、ディスク４の搬送路を挟んでターンテーブル３とは反対側に配置されている。クランパ２はクランパホルダ１７に保持され、ディスク演奏装置のフレーム１９にその垂直方向（本実施形態では縦型のディスク演奏装置であるので水平方向）に移動可能に取り付けられている。フレーム１９にはクランパ２を配置する孔１９ａが設けられている。孔１９ａのターンテーブル３側の縁には突出片２５が設けられている。突出片２５は周方向に等間隔で例えば３箇所に設けられている。ただし、突出片２５を設ける箇所は３箇所に限るものではない。
【００６１】
本実施形態のクランパホルダ１７はクランパ２を保持するリング部１７ａと、リング部１７ａに一体成形されたアーム部１７ｂより構成されている。リング部１７ａはクランパ２の中間部２ａを遊びとなる隙間をあけて囲むようにして取り付けられている。リング部１７ａの内径はクランパ２の中間部２ａの外径よりも大きく、クランプ部２ｂ及び背部２ｃの外径よりも小さくなっている。したがって、クランパホルダ１７はクランプ部２ｂと背部２ｃとの間でディスク４に対して近づいたり離れたりする方向に相対移動可能となっている。また、リング部１７ａの外径は孔１９ａの直径よりも若干小さくなっている（図２１）。したがって、クランパホルダ１７は孔１９ａ内でその軸線Ｌ方向に移動可能且つ軸線Ｌ回りに回転可能となっている。アーム部１７ｂはリング部１７ａの径方向外側に伸びており、フレーム１９に設けられた窓１９ｄを介して図示しない操作レバーによって揺動操作される。
【００６２】
フレーム１９とクランパホルダ１７の間にはクランパホルダ１７を案内するガイド機構２６が設けられている。ガイド機構２６は傾斜板２７とスライダ２８より構成されている。本実施形態では、ガイド機構２６はフレーム１９の孔１９ａ及びリング部１７ａの周方向に等間隔で例えば３箇所に設けられており、いわば３条ねじのように機能してクランパホルダ１７をその軸線方向に回転移動させる。ただし、ガイド機構２６を設ける箇所は３箇所に限るものではない。傾斜板２７はフレーム１９の孔１９ａの周面に螺旋の一部を構成するように設けられている。傾斜板２７の前後両面２７ａ，２７ｂがそれぞれガイド面となっている。スライダ２８は、傾斜板２７の前面２７ａに摺動する前側スライダ２８と、傾斜板２７の後面２７ｂに摺動する後側スライダ２８より構成され、クランパホルダ１７のリング部１７ａに設けられている。前後両面（両ガイド面）２７ａ，２７ｂには各スライダ２８が嵌り込む凹部２７ｃ，２７ｄが形成されている。
【００６３】
次に、クランパ２の支持構造２４の作動について説明する。
【００６４】
図２２（Ｃ）及び図２３（Ａ）にそれぞれ実線で示す状態では、クランパホルダ１７はディスク４の搬送路から最も離れた位置に移動されている（図２１（Ａ））。この状態から、図示しない電動モータ等の駆動源によって操作レバーが操作され、アーム部１７ｂの向きを変えてリング部１７ａを図２２（Ｃ）中矢印ＣＷ方向に回転させると、ガイド機構２６のスライダ２８，２８が図２３（Ａ）中矢印方向に移動する。そして、更にガイド機構２６のスライダ２８，２８が同方向に移動すると、図２３（Ａ）に２点鎖線で示すように、後側スライダ２８がガイド面２７ｂに当たり、以降、ガイド面２７ｂに案内されて移動する（図２３（Ｂ）の２点鎖線）。これにより、クランパホルダ１７はねじを回し進めるように回転しながら搬送路２３側に向けて移動する。なお、前側スライダ２８と後側スライダ２８との位置関係は変化せずに一緒に移動する。そして、図２３（Ｂ）に実線で示す位置に達すると、クランパホルダ１７は搬送路２３に最も近づいた状態となる（図２１（Ｂ））。
【００６５】
図２３（Ｂ）に実線で示す状態から更にクランパホルダ１７が操作レバーによって操作されて回転すると、前側スライダ２８が傾斜板２７に設けられた延長斜面２７ｅに沿って移動するので、クランパホルダ１７が搬送路から離れる方向に若干引き戻される。また、後側スライダ２８がガイド面２７ｂの凹部２７ｄに嵌り込む（図２３（Ｃ））。同時に、操作レバーによるアーム部１７ｂの回転操作が停止するので、リング部１７ａの回転も停止する。この状態では、後側スライダ２８が凹部２７ｄに嵌り込んでいるので、クランパホルダ１７のがたつきが防止される。
【００６６】
この状態から、操作レバーがアーム部１７ｂの向きを反対側に変えてリング部１７ａを反対方向に回転させると、後側スライダ２８が凹部２７ｄの傾斜面に沿って移動し、クランパホルダ１７を搬送路側に向けて若干移動させて図２３（Ｂ）に実線で示す状態に戻る。そして、リング部１７ａが更に回転すると、前側スライダ２８がガイド面２７ａに当たり、ガイド面２７ａに案内されて移動する。これにより、クランプホルダ１７がねじを回し戻すように回転しながら搬送路から離れる方向に移動する。
【００６７】
そして、図２３（Ａ）に示すように前側スライダ２８がガイド面２７ａの凹部２７ｃに嵌り込むと、操作レバーによるアーム部１７ｂの操作が停止してリング部１７ａの回転が停止する。この状態では、クランパホルダ１７は搬送路から最も離れた位置に移動されている。また、この状態では前側スライダ２８が凹部２７ｃに嵌り込んでいるので、クランパホルダ１７のがたつきが防止される。
【００６８】
ディスク４搬送時には、図２３（Ａ）の状態にしてクランパホルダ１７及びクランパ２を搬送路から最も離れた位置に移動させておく。また、ディスク４クランプ時（ターンテーブル３とクランパ２とによるディスク４の挟持時）には、図２３（Ｂ）の状態にしてクランプホルダ１７及びクランパ２を搬送路に最も近い位置に移動させておく。さらに、ディスク４のプレイ時（演奏時）には図２３（Ｃ）の状態してクランパホルダ１７をターンテーブル３側から若干遠ざけておき、ターンテーブル３との磁気結合によってクランパ２が若干押し戻されてもこれに干渉しないようになっている。
【００６９】
クランパホルダ１７は複数、本実施形態では３つのガイド機構２６によって案内されて移動するので、いわばねじを回し進めるように、孔１９ａの軸線方向に直交する姿勢を維持したまま真っ直ぐに移動する。そのため、図２４に示すように、ターンテーブル３及びディスク４に対するクランパ２の傾斜を抑えることができる。
【００７０】
即ち、縦型のディスク演奏装置では、図２５に示すように、回転自在に保持されているクランパ２は倒れて傾斜し易い。クランパ２とターンテーブル３との磁気結合によってディスク４をクランプするタイプのクランプ構造では、クランパ２がターンテーブル３に対して傾斜しているとその分だけターンテーブル３とクランパ２との間に働く磁気結合力が減少する。図２４及び図２５に基づいて説明する。
【００７１】
いま、ターンテーブル３に対してクランパ２が傾斜していない場合の両者の間隔を１とする。図２４（Ｃ）に示す４つのポイントＰ１，…，Ｐ４（各ポイントの間隔：１）を代表すると、磁気結合力は数式１によって表わされる。
【００７２】
〈数１〉
磁気結合力＝（１＾２）／（１＾２）×４＝４
【００７３】
一方、ターンテーブル３に対してクランパ２が傾斜しており、図２５（Ｃ）に示す４つのポイントの距離がＰ１＝２、Ｐ２＝Ｐ４＝１、Ｐ３＝０の場合、磁気結合力は数式２によって表わされる。
【００７４】
〈数２〉
磁気結合力＝(1／(2＾2))＋(1／(1＾2))＋(1／(1＾2))＋0＝0.25＋1＋1＋0＝2.25
【００７５】
したがって、数式３により、傾斜した場合の磁気結合力は傾斜していない場合の磁気結合力の約５６％になる。
【００７６】
〈数３〉
２．２５÷４＝０．５６２５≒０．５６
【００７７】
このように、ターンテーブル３に対してクランパ２が傾斜すると磁気結合力が減少するので、ターンテーブル３に対してクランパ２を傾斜させないようにする必要がある。このクランパ２の支持構造２４では、クランパ２を保持するクランパホルダ１７をターンテーブル３に対して傾斜させることなく平行状態で移動させることができ、クランパ２はクランパホルダ１７に対して殆ど傾斜しないので、クランパ２の傾斜を抑えることができる。そのため、クランパ２の磁石の磁力を磁気結合力として有効利用することができ、その分だけ磁石を小型化することができる。また、磁石を小型化できることからターンテーブル３とクランパ２との磁気結合時（チャッキング時）および結合解除時（チャッキング解除時）に大きな音が発生するのを防止することができる。
【００７８】
また、フレームに対してクランパを直接取り付ける構造に比べて、クランパホルダ１７を増加させるだけであり、部品点数を著しく増加させることにはならないので、製造コストを大幅な増加を防ぐことができる。また、スプリング等を使用する構造ではないので、製造時の作業性を悪化させることもない。
【００７９】
ターンテーブル３とクランパ２とでディスク４を挟持するクランプ構造では、ターンテーブル３の回転中心軸とディスク４の回転中心軸がずれている場合（図２４（Ａ），図２５（Ａ））、ターンテーブル３の傾斜面３ｂ上にディスク４の中心孔４ｂ（図２４，図２５）の縁を滑らせることで両者の回転中心軸を一致させることが行なわれる（センタリング）。このクランパ２の支持構造２４は、クランパ２の傾斜を抑えて磁力をクランプに必要な磁気結合力として有効利用できるので、センタリングに有利である。特に、縦型のディスク演奏装置では、ターンテーブル３にディスク４を重ねる方向と重力の方向が異なっており、ディスク４のセンタリングにディスク４の重さを利用することができない。また、縦型のディスク演奏装置では、横型のディスク演奏装置に比べて、ターンテーブル３の回転中心軸とディスク４の回転中心軸がずれ易い（図２４（Ａ），図２５（Ａ））。このクランパ２の支持構造２４は磁石の磁力を磁気結合力として有効利用できるので、特に縦型のディスク演奏装置に適している。
【００８０】
例えば、特開２００７−６６４２９号に開示されたディスク演奏装置では、図３０及び図３１に示すように、クランパ２０１に設けたばね状のアーム片２０２に係止フィン２０３を設け、プレート２０４の開口部２０５に係止フィン２０３を通した後、広げることで、クランパ２０１をプレート２０４に取り付けている。そのため、
特に縦型にした場合には、クランパ２０１がプレート２０４に対して傾きやすく、ターンテーブルに対してクランパ２０１が傾斜しやすい。これに対し、このクランパ２の支持構造２４では、ターンテーブル３に対してクランパ２を傾斜させることなく平行状態でクランプすることができる点は上述の通りである。
【００８１】
なお、上述の説明では、ディスク４のプレイ時には図２３（Ｃ）の状態にしてクランプホルダ１７をターンテーブル３側から若干遠ざけるようにしていたが、必ずしもこのようにする必要はなく、クランプホルダ１７をターンテーブル３に最も近づけた状態でディスク４をプレイしても良い。即ち、図２３（Ｃ）の状態を省略して、同（Ａ）の状態と同（Ｂ）の状態の間で往復するようにしても良い。
【００８２】
次に、ディスク演奏装置内に取り込んだディスク４の位置決め機構３０について説明する。この位置決め機構３０は、例えばディスク４に搬送ローラ７を直接接触させて搬送するタイプのディスク演奏装置に適用される。本実施形態では、ディスク４を搬送ローラ７でディスクガイド部１９ｂに押し付けながらディスク４を搬送する。
【００８３】
ディスク４の位置決め機構３０を図２６，図２７に示す。位置決め機構３０は、取り込んだディスク４の周面に度当たりしてディスク４をセンター位置に位置決めするストッパ３１と、ターンテーブル３を支持し、その退避位置（図２６（Ａ），図２７（Ａ））と進出位置（図２６（Ｂ），図２７（Ｂ））との間で揺動可能な支持部材３２とを備えている。ここで、ディスク４のセンター位置とは、ディスク演奏装置内に取り込まれたディスク４が演奏のために搬送される位置であり、演奏のために移動されてくるターンテーブル３の回転中心軸にディスク４の回転中心軸が一致し、ターンテーブル３の凸部３ａがディスク４の中心孔４ｂにそのまま挿入可能な位置である。また、支持部材３２の退避位置とは、ターンテーブル３をセンター位置のディスク４から退避させる位置である。さらに、支持部材３２の進出位置とは、ターンテーブル３をディスク４を回転させる位置まで進出させる位置である。
【００８４】
支持部材３２は、例えば光ピックアップのトラバースユニット（図示省略）と、トラバースユニットを支持するサブシャーシより構成されている。サブシャーシは例えば樹脂製のものである。ただし、樹脂製のものに限らず、例えば金属製等のものでも良い。ターンテーブル３はトラバースユニットに取り付けられている。サブシャーシには揺動中心軸３４が設けられており、シャーシ８に揺動自在に取り付けられている。
【００８５】
ストッパ３１は支持部材３２に設けられており、支持部材３２が退避位置に揺動した場合に、即ちディスク４を演奏するために演奏位置１５に搬送した場合に、ディスク４の周面に度当たりし、支持部材３２が進出位置に揺動することでディスク４の周面から退避するものである。本実施形態では、ストッパ３１は支持部材３２のサブシャーシに一体成形されている。ただし、必ずしもストッパ３１をサブシャーシに設ける必要はなく、例えばトラバースユニットに設けても良い。本実施形態ではストッパ３１を左右に１本ずつ設けている。左右のストッパ３１の間隔は、位置決めするディスク４の直径よりも狭くなっており、搬送されてきたディスク４は必ず２本のストッパ３１に度当たりする構成になっている。また、ストッパ３１のディスク当たり面３１ａは、ディスク４の周縁の形状に合わせた曲面となっている。
【００８６】
次に、ディスク位置決め機構３０の作動について説明する。
【００８７】
ディスク演奏装置内にディスク４が取り込まれていない状態では、支持部材３２は退避位置に移動しており、ストッパ３１がディスク４の搬送路２３に突出している。また、この状態では搬送ローラ７とディスクガイド部１９ａは搬送路２３から退避している。
【００８８】
この状態で、ディスク演奏装置内にディスク４が挿入されると、搬送ローラ７とディスクガイド部１９ａが搬送路２３に向けて移動し、搬送ローラ７とディスクガイド部１９ａとでディスク４を挟み込む。そして、搬送ローラ７が回転し、ディスク４を搬送する。ディスク４がセンター位置まで搬送されると、ディスク４の周縁がストッパ３１に度当たりし、正確に位置決めされる（図２６（Ａ），図２７（Ａ））。このとき、ディスク４が左右のいずれか一方に偏った状態で挿入されると、搬送されたディスク４は２本のストッパ３１のうちいずれか一方のストッパ３１に先に度当りすることもあるが、ディスク４は最初に度当たりしたストッパ３１を中心に回転しながら更に奥に搬送され、もう片方のストッパ３１にも度当たりするので、ディスク４をセンター位置に正確に位置決めすることができる。
【００８９】
その後、搬送ローラ７の回転が停止され、搬送ローラ７とディスクガイド部１９ａが退避する。また、支持部材３２が進出位置に揺動する（図２６（Ｂ），図２７（Ｂ））。これにより、ストッパ３１がディスク４の径方向外側に移動してディスク４の周縁から離れるので、ディスク４を回転軸方向に移動させて回転させても、ストッパ３１がディスク４に接触することがない。即ち、ストッパ３１をディスク４に接触する位置から退避させることができる。また、支持部材３２の進出位置への揺動によってターンテーブル３が移動し、ディスク４を持ち上げてクランパ２とで挟持するので、ディスク４を回転させて演奏することができる。
【００９０】
このように、ディスク４をセンター位置に位置決めした後、ストッパ３１をディスク４に接触することがない位置に退避させることができるので、ストッパ３１を使用してディスク４をセンター位置に正確に位置決めすることができる。即ち、例えば特開２００２−８２９０号に開示された記録再生装置では、図３２に示すように、ディスクの回転の邪魔にならないように、第１突起部３０１や第２突起部３０２をディスクの径方向外側の位置に若干ずらして設けている。そのため、ディスクを第１突起部３０１や第２突起部３０２に度当たりさせて位置決めすると、ディスクは正確な位置から若干ずれた位置に位置決めされることになり、正確に位置決めすることができない。これに対し、ディスク位置決め機構３０では上記のようなずれが発生することがなく、ディスク４を正確に位置決めすることができる。
【００９１】
また、ストッパ３１は支持部材３２に設けられており別部材ではないので、部品点数を増加させることがない。また、ストッパ３１を駆動させるための専用の駆動手段が不要である。これらのため、製造コストの上昇を抑えることができると共に、装置を小型化、軽量化させることができる。
【符号の説明】
【００９２】
２  クランパ（一方の部材）
３  ターンテーブル（他方の部材）
４  ディスク
５  ディスクストッパ
８  シャーシ
７  搬送ローラ
３５  記録領域以外の領域
３６  記録領域
【図１】
2010192058.tif 000003
【図２】
2010192058.tif 000004
【図３】
2010192058.tif 000005
【図４】
2010192058.tif 000006
【図５】
2010192058.tif 000007
【図６】
2010192058.tif 000008
【図７】
2010192058.tif 000009
【図８】
2010192058.tif 000010
【図９】
2010192058.tif 000011
【図１０】
2010192058.tif 000012
【図１１】
2010192058.tif 000013
【図１２】
2010192058.tif 000014
【図１３】
2010192058.tif 000015
【図１４】
2010192058.tif 000016
【図２１】
2010192058.tif 000017
【図２２】
2010192058.tif 000018
【図２３】
2010192058.tif 000019
【図２４】
2010192058.tif 000020
【図２５】
2010192058.tif 000021
【図２６】
2010192058.tif 000022
【図２７】
2010192058.tif 000023
【図２８】
2010192058.tif 000024
【図２９】
2010192058.tif 000025
【図３０】
2010192058.tif 000026
【図３１】
2010192058.tif 000027
【図３２】
2010192058.tif 000028
【図１５】
2010192058.tif 000029
【図１６】
2010192058.tif 000030
【図１７】
2010192058.tif 000031
【図１８】
2010192058.tif 000032
【図１９】
2010192058.tif 000033
【図２０】
2010192058.tif 000034